(57)【特許請求の範囲】
【請求項１】
第１の漏洩同軸ケーブルを接続してアンテナとする第１のアクセスポイントと、前記第１の漏洩同軸ケーブルの終端部近傍に配置され、第２の漏洩同軸ケーブルを接続してアンテナとする第２のアクセスポイントとを備え、前記第１または第２の漏洩同軸ケーブルに沿って移動する移動局と前記第１または第２のアクセスポイントを介して無線通信を行う無線通信システムにおいて、
前記第１の漏洩同軸ケーブルの終端から基端に向けて所定の長さにわたり、前記移動局が前記第１の漏洩同軸ケーブルから受信する漏洩電波の受信レベルを、前記移動局がローミング処理を開始するレベルまで低下させることを特徴とする無線通信システム。
【請求項２】
前記第１の漏洩同軸ケーブルは、終端から基端に向けて所定の長さにわたり結合損失を他の部位よりも大きくしたことを特徴とする請求項１記載の無線通信システム。
【請求項３】
前記第１の漏洩同軸ケーブルは、終端から基端に向けて所定の長さにわたりスロットのサイズを他の部位よりも小さくしたことを特徴とする請求項１記載の無線通信システム。
【請求項４】
前記第１の漏洩同軸ケーブルは、終端から基端に向けて所定の長さにわたりスロットの間隔を他の部位よりも広くしたことを特徴とする請求項１記載の無線通信システム。
【請求項５】
漏洩同軸ケーブルをそれぞれ接続してアンテナとする複数のアクセスポイントを備え、前記漏洩同軸ケーブルに沿って移動する移動局と前記各アクセスポイントを介して無線通信を行う無線通信システムの前記漏洩同軸ケーブルであって、
終端から基端に向けて所定の長さにわたり結合損失を他の部位よりも大きくして、前記所定の長さにわたり、前記移動局が前記漏洩同軸ケーブルから受信する漏洩電波の受信レベルを、前記移動局がローミング処理を開始するレベルまで低下させることを特徴とする漏洩同軸ケーブル。
【請求項６】
漏洩同軸ケーブルをそれぞれ接続してアンテナとする複数のアクセスポイントを備え、前記漏洩同軸ケーブルに沿って移動する移動局と前記各アクセスポイントを介して無線通信を行う無線通信システムの前記漏洩同軸ケーブルであって、
終端から基端に向けて所定の長さにわたりスロットのサイズを他の部位よりも小さくして、前記所定の長さにわたり、前記移動局が前記漏洩同軸ケーブルから受信する漏洩電波の受信レベルを、前記移動局がローミング処理を開始するレベルまで低下させることを特徴とする漏洩同軸ケーブル。
【請求項７】
漏洩同軸ケーブルをそれぞれ接続してアンテナとする複数のアクセスポイントを備え、前記漏洩同軸ケーブルに沿って移動する移動局と前記各アクセスポイントを介して無線通信を行う無線通信システムの前記漏洩同軸ケーブルであって、
終端から基端に向けて所定の長さにわたりスロットの間隔を他の部位よりも広くして、前記所定の長さにわたり、前記移動局が前記漏洩同軸ケーブルから受信する漏洩電波の受信レベルを、前記移動局がローミング処理を開始するレベルまで低下させることを特徴とする漏洩同軸ケーブル。
【発明の詳細な説明】
【技術分野】
【０００１】
本発明の実施形態は、漏洩同軸ケーブルを用いた無線通信システムに関する。
【背景技術】
【０００２】
基地局であるアクセスポイントに漏洩同軸ケーブルを接続してアンテナとし、このアンテナを介してアクセスポイントが移動局と無線通信を行うようにした無線通信システムがある。このシステムに用いられる漏洩同軸ケーブルは、非常に細長い距離の通信エリアを確保できる。しかし、ケーブルを伝播する電波に伝送損失があるため、当然のことながら、1台のアクセスポイントで実現できる通信エリアの距離は有限である。
【０００３】
一般的な無線ＬＡＮ（Local Area Network）システムにおいては、通信エリアを拡張する技術としてローミングが知られている。ローミングは、複数の無線ＬＡＮアクセスポイントが配置された領域内を移動する無線ＬＡＮクライアントが、移動に合わせて接続するアクセスポイントを切り替える技術である。
【０００４】
漏洩同軸ケーブルを用いた無線通信システムにおいても、ローミングの技術を適用することによって、通信エリアの距離を伸ばすことができる。しかし、漏洩同軸ケーブルは、一般的なモノポールアンテナと比較して、終端部近傍での電波減衰量の変化が急峻である。このため、接続先のアクセスポイントを切り替える際に通信が不安定となり、リアルタイムでの通信ができなくなるという問題がある。
【先行技術文献】
【特許文献】
【０００５】
【特許文献１】特開２００７−１１６２５１号公報
【発明の概要】
【発明が解決しようとする課題】
【０００６】
本発明が解決しようとする課題は、移動局がローミングにより接続先のアクセスポイントを切り替える際に通信が不安定になるのを防ぐことができ、通信のリアルタイム性を安定に維持できる漏洩同軸ケーブルを用いた無線通信システムを提供しようとするものである。
【課題を解決するための手段】
【０００７】
一実施形態において、無線通信システムは、第１の漏洩同軸ケーブルを接続してアンテナとする第１のアクセスポイントと、第１の漏洩同軸ケーブルの終端部近傍に配置され、第２の漏洩同軸ケーブルを接続してアンテナとする第２のアクセスポイントとを備える。そして、第１の漏洩同軸ケーブルの終端から基端に向けて所定の長さにわたり、移動局が第１の漏洩同軸ケーブルから受信する漏洩電波の受信レベルを、移動局がローミング処理を開始するレベルまで低下させる。
【図面の簡単な説明】
【０００８】
【図１】第１の実施形態における無線通信システムの概念図。
【図２】第１の実施形態における無線通信システムにおいて、クライアント端末の受信レベルと移動距離との関係を示す図。
【図３】第１の実施形態の無線通信システムで使用される漏洩同軸ケーブルの第１の具体例を示す模式図。
【図４】第１の実施形態の無線通信システムで使用される漏洩同軸ケーブルの第２の具体例を示す模式図。
【図５】第１の実施形態の無線通信システムで使用される漏洩同軸ケーブルの第３の具体例を示す模式図。
【図６】第１の実施形態の無線通信システムで使用される漏洩同軸ケーブルの第４の具体例を示す模式図。
【図７】第２の実施形態における無線通信システムの概念図。
【図８】第３の実施形態における無線通信システムの概念図。
【発明を実施するための形態】
【０００９】
以下、いくつかの実施形態について、図面を用いて説明する。  
［第１の実施形態］
図１は、第１の実施形態における無線通信システムの概念図である。本システムは、全長が約２００メートルの第１の漏洩同軸ケーブル１を接続してアンテナとする第１のアクセスポイント２と、同じく全長が約２００メートルの第２の漏洩同軸ケーブル３を接続してアンテナとする第２のアクセスポイント４とを少なくとも備える。第２のアクセスポイント４は、第１の漏洩同軸ケーブル１の終端部近傍に配置される。この配置により、第２の漏洩同軸ケーブル３の基端側の通信エリアは、第１の漏洩同軸ケーブル１の終端部側の通信エリアと重なる。その結果、第１の漏洩同軸ケーブル１から第２の漏洩同軸ケーブル３に連なって、約４００メートルの細長い通信エリアが確保される。
【００１０】
図示しないが、各アクセスポイント２，４は、有線ＬＡＮで接続されている。そして、この有線ＬＡＮには、クライアント端末５のコントロールサーバが接続されている。クライアント端末５は、第１，第２の漏洩同軸ケーブル１，３に沿って図中矢印Ｘ方向または−Ｘ方向に移動する。そしてクライアント端末５は、第１，第２の漏洩同軸ケーブル１，３から漏洩する電波を利用して、第１または第２のアクセスポイント２，４と無線通信を行う。この無線通信により、クライアント端末５は、コントロールサーバから制御信号を受信する。つまりクライアント端末５は、第１または第２のアクセスポイント２，４に対して移動局となる。
【００１１】
そして、クライアント端末５が第１の漏洩同軸ケーブル１の通信エリアから第２の漏洩同軸ケーブル４の通信エリアに、あるいはその逆方向に移動しても、コントロールサーバとの接続が維持されるように、本システムではローミングの技術を使用する。そのため、各アクセスポイント２，４にそれぞれ設定されるＥＳＳＩＤ（Extended Service Set Identifier）は、同じである。ただし、電波の混信を防ぐために、第１のアクセスポイント２と第２のアクセスポイント４とは異なる周波数を使用する。本実施形態では、第１のアクセスポイント２がｉチャンネル（ch.i）を使用し、第２のアクセスポイント４がｊチャンネル（ch.j）を使用する。
【００１２】
ローミング技術の中には、通信中に、次に接続するアクセスポイントを探しておくことで、接続が切れてもスムーズにアクセスポイントを切り替える、いわゆるバックグラウンドスキャンと呼ばれるような技術が知られている。また、高いスループットが求められる場合には、ローミング閾値を変更して、高いスループットが得られない場合には、アクセスポイントを意図的に切り替えるような方法も知られている。そこで、本システムのように、漏洩同軸ケーブル１，３を有するアクセスポイント２，４を複数設置し、上記のようなバックグラウンドスキャンやローミング閾値の最適化をしたローミング処理を実施することで、高いスループットで長い通信エリアを確保することが可能であると考えられる。
【００１３】
しかしながら、漏洩同軸ケーブル１，３は、その独特の放射形状と指向性から、終端付近での電波減衰量が大きい。このため、バックグラウンドスキャンによるローミングを実施する場合には、クライアント端末５の接続先が第１のアクセスポイント２から第２のアクセスポイント４に切り替わる際に通信が不安定となり、リアルタイムでの通信ができなくなるおそれがある。
【００１４】
このような課題を解決するために、本システムでは、第１の漏洩同軸ケーブル１の終端から基端に向けて所定の長さにわたり、クライアント端末５が第１の漏洩同軸ケーブル１から受信する漏洩電波の受信レベルを、クライアント端末５がローミング処理を開始するレベルまで低下させる。
【００１５】
このような課題の解決策について、図２を用いて説明する。なお、本システムのローミング処理は、秒速２メートルで移動するクライアント端末５において、現在の受信レベルが３０以下であるとバックグラウンドスキャンを開始し、５秒間のスキャンの結果、受信レベルが４０以上のアクセスポイントが見つかった場合に切り替えるものと仮定する。
【００１６】
図２は、横軸にクライアント端末５の第1のアクセスポイント２からの移動距離［メートル］を示し、縦軸にクライアント端末５の漏洩電波受信レベルを示している。図２において、実線Ｐは、第１の漏洩同軸ケーブル１からの漏洩電波の移動距離に対する受信レベルを示し、一点鎖線Ｑは、第２の漏洩同軸ケーブル３からの漏洩電波の移動距離に対する受信レベルを示す。また、破線Ｒは、第１の漏洩同軸ケーブル１からの漏洩電波の移動距離に対する従来仕様の受信レベルを示す。
【００１７】
はじめに、クライアント端末５が、第１，第２の漏洩同軸ケーブル１，３に沿ってＸ方向に移動する場合について説明する。  
図２の破線Ｒに示すように、従来仕様であるとき、第１の漏洩同軸ケーブル１からの漏洩電波は、第１のアクセスポイント２に接続される漏洩同軸ケーブル１の基端部からそのケーブル１の終端部となる２００メートル付近まで、受信レベルが３０を超えている。ただし、２００メートルを越えると受信レベルが急激に減衰する。
【００１８】
距離ｘ５（＞２００メートル）にて受信レベルが３０以下になると、Ｘ方向に移動するクライアント端末５はローミング処理を開始する。このローミング処理には、約５秒のスキャン時間を要する。また、クライアント端末５の移動速度は２［ｍ／秒］である。したがって、ローミング処理の間におけるクライアント端末５の移動距離Δｔは約１０メートルとなる。
【００１９】
クライアント端末５が距離ｘ５の地点からＸ方向に約１０メートルを移動して距離ｘ６（＞ｘ５）の地点に達すると、ローミング処理が終了する。このとき、第２の漏洩同軸ケーブル３からの漏洩電波受信レベルが４０を超えている。したがってクライアント端末５は、無線ＬＡＮの接続先を、第１のアクセスポイント２から第２のアクセスポイント４に切り替える。ただし、ローミング処理の実行区間ｔ５〜ｔ６の途中で、クライアント端末５は、第１の漏洩同軸ケーブル１からの漏洩電波を受信できなくなる。このため、通信が不安定となり、リアルタイムでの通信ができなくなる。
【００２０】
これに対し、図２の実線Ｐに示すように、本システムの仕様であるときには、Ｘ方向に移動するクライアント端末５は、第１の漏洩同軸ケーブル１の終端より手前側の距離ｘ３（１５０＜ｘ３＜１９０）の地点において、第１の漏洩同軸ケーブル１の漏洩電波受信レベルが３０以下となる。その結果、クライアント端末５はローミング処理を開始する。
【００２１】
そして、クライアント端末５が距離ｘ３の地点からＸ方向に約１０メートルを移動して距離ｘ４（＞ｘ３）の地点に達すると、ローミング処理が終了する。このとき、第２の漏洩同軸ケーブル３からの漏洩電波受信レベルが４０を超えている。したがってクライアント端末５は、無線ＬＡＮの接続先を、第１のアクセスポイント２から第２のアクセスポイント４に切り替える。そして、このときのローミング処理区間ｔ３〜ｔ４では、第１の漏洩同軸ケーブル１の漏洩電波受信レベルも２５近辺であるため、通信は安定している。したがって、Ｘ方向に移動するクライアント端末５は、通信のリアルタイム性を維持しつつ、接続先を第１のクライアント端末２から第２のクライアント端末５に切り替える。
【００２２】
次に、クライアント端末５が−Ｘ方向に移動する場合について説明する。  
図２の一点鎖線Ｑに示すように、第２の漏洩同軸ケーブル１からの漏洩電波は、第２のアクセスポイント４と接続される基端部を外れると、受信レベルが緩やかに変化する。そして、距離ｘ２（＜１９０メートル）にて受信レベルが３０以下になると、−Ｘ方向に移動するクライアント端末５はローミング処理を開始する。そして、クライアント端末５が距離ｘ２の地点から−Ｘ方向に約１０メートルを移動して距離ｘ１（＜ｘ２）の地点に達すると、ローミング処理が終了する。このとき、第１の漏洩同軸ケーブル１からの漏洩電波受信レベルが４０を超えている。したがって、クライアント端末５は、無線ＬＡＮの接続先を、第２のアクセスポイント４から第１のアクセスポイント２に切り替える。そして、このときのローミング処理区間ｔ２〜ｔ１では、第２の漏洩同軸ケーブル３の漏洩電波受信レベルも２０以上であるため、通信は安定している。したがって、−Ｘ方向に移動するクライアント端末５は、通信のリアルタイム性を維持しつつ、接続先を第２のクライアント端末５から第１のクライアント端末２に切り替える。
【００２３】
さて、本システムにおいて、第１の漏洩同軸ケーブル１は、終端から基端に向けて所定の長さにわたり結合損失を他の部位よりも大きくすることで、クライアント端末５が第１の漏洩同軸ケーブル１から受信する漏洩電波の受信レベルを、クライアント端末５がローミング処理を開始するレベルまで低下させている。すなわち、第１の漏洩同軸ケーブル１は、結合損失の異なる２以上の漏洩同軸ケーブルを組み合わせたものといえる。
【００２４】
このような漏洩同軸ケーブルの具体例について、図３〜図６を用いて説明する。なお、図３〜図６において、各漏洩同軸ケーブル１１，１２，１３，１４は、いずれも内部導体と、絶縁体と、外部導体と、シースを備えて構成され、外部導体上に周期的なスロット６が設けられている点は、従来と同様である。また、漏洩同軸ケーブル１１，１２，１３，１４は、その基端部でアクセスポイント２の給電線（アプローチケーブル）に接続されており、終端部に終端器が接続されている点も、従来と同様である。
【００２５】
図３〜図６に示す各漏洩同軸ケーブル１１，１２，１３，１４において、区間Ａは、結合損失が小さく、漏洩電波の放射強度が強い区間である。これに対して、区間Ｂは、結合損失が大きく、漏洩電波の放射強度が強い区間である。区間Ｂの長さは、クライアント端末５がローミング処理を実行する間に移動する距離よりも長いことが必須である。また、この移動距離にできるだけ近い値とすることが好ましい。
【００２６】
図３示す漏洩同軸ケーブル１１は、区間Ａに形成される各スロット６の間隔ｄ１に対し、区間Ｂに形成される各スロット６の間隔ｄ２を広くずらすことで、見かけ上、区間Ｂの結合損失を区間Ａよりも大きくする。そして、区間Ｂにおいては、クライアント端末５が漏洩同軸ケーブル１０から受信する漏洩電波の受信レベルを、クライアント端末５がローミング処理を開始するレベルまで低下させたものである。
【００２７】
図４に示す漏洩同軸ケーブル１２は、区間Ａに形成される各スロット６ａに対し、区間Ｂに形成される各スロット６ｂのサイズを小さくすることで、見かけ上、区間Ｂの結合損失を区間Ａよりも大きくする。そして、区間Ｂにおいては、クライアント端末５が漏洩同軸ケーブル１０から受信する漏洩電波の受信レベルを、クライアント端末５がローミング処理を開始するレベルまで低下させたものである。
【００２８】
なお、漏洩同軸ケーブル１２は、区間Ａに形成される各スロット６ａの間隔ｄ１と区間Ｂに形成される各スロット６ｂの間隔ｄ２とは等しいが、漏洩同軸ケーブル１１のように各スロット６ｂの間隔も広くずらすことで、区間Ｂの結合損失を区間Ａより大きくしてもよい。
【００２９】
図５に示す漏洩同軸ケーブル１３は、区間Ａと区間Ｂに形成されるスロット６の間隔やサイズは、既存のものと変わらない。漏洩同軸ケーブル１３は、区間Ｂにおけるケーブルの外被であるシースの周囲を電波遮蔽シート７で覆うことにより、見かけ上、区間Ｂの結合損失を区間Ａよりも大きくする。そして、区間Ｂにおいては、クライアント端末５が漏洩同軸ケーブル１０から受信する漏洩電波の受信レベルを、クライアント端末５がローミング処理を開始するレベルまで低下させたものである。
【００３０】
このような漏洩同軸ケーブル１３は、例えば電波遮蔽シート７の厚みを変えることで、電波減衰量を補完的に調整することができるので、より安定なローミングを可能にできる。
【００３１】
なお、電波遮蔽シート７は、図１においてクライアント端末５がＸ方向に移動する際は必要だが、−Ｘ方向に移動する際は不要である。そこで、クライアント端末５の移動方向を検知し、Ｘ方向への移動の際は、漏洩同軸ケーブル１３の区間Ｂの周囲を電波遮蔽シート７で覆い、−Ｘ方向への移動の際は覆わないようにしてもよい。
【００３２】
図６に示す漏洩同軸ケーブル１４は、区間Ａについては、外部導体上に周期的なスロット６を設けた既存の漏洩同軸ケーブル１４ａであるが、区間Ｂについては、漏洩同軸ケーブルとは別の低利得アンテナ用ケーブル１４ｂであり、漏洩同軸ケーブル１４ａの終端と低利得アンテナ用ケーブル１４ｂの基端とをケーブルコネクタ８で接続したものである。
【００３３】
低利得アンテナ用ケーブル１４ｂは、漏洩同軸ケーブル１４ａと比較して結合損失が大きい。したがって、区間Ｂでは、クライアント端末５が漏洩同軸ケーブル１４から受信する漏洩電波の受信レベルを、クライアント端末５がローミング処理を開始するレベルまで低下させることができる。
【００３４】
なお、低利得アンテナ用ケーブル１４ｂの代わりに通常の同軸ケーブルを用い、自然と漏洩される電波を利用して無線通信を行うようにしてもよい。この場合も、区間Ｂでは、クライアント端末５が漏洩同軸ケーブル１４から受信する漏洩電波の受信レベルを、クライアント端末５がローミング処理を開始するレベルまで低下させることができる。
【００３５】
［第２の実施形態］
図７は、第２の実施形態における無線通信システムの概念図である。なお、図１と共通する部分には同一符号を付し、その詳しい説明は省略する。
【００３６】
図７に示すように、第２の実施形態の無線通信システムにおいては、第１のアクセスポイント２がアンテナとして使用する第１の漏洩同軸ケーブル１の終端から基端に向けて所定の長さにわたる部分が、当該第１の漏洩同軸ケーブル１に沿って移動するクライアント端末５のアンテナとの距離が離反する方向に曲げられている。この第１の漏洩同軸ケーブル１が曲げられている部分は、図３〜図６に示した漏洩同軸ケーブル１１〜１４の区間Ｂに相当する。ただし、漏洩同軸ケーブル１１〜１４のように区間Ｂの結合損失を区間Ａよりも大きくしてはいない。
【００３７】
第２の実施形態では、区間Ｂに相当する部分が、第１の漏洩同軸ケーブル１に沿って移動するクライアント端末５のアンテナとの距離が離反する方向に曲げられているので、第１の漏洩同軸ケーブルから受信する漏洩電波の受信レベルが、クライアント端末５にてローミング処理が開始されるレベルまで低下させることができる。その結果、クライアント端末５がローミングにより接続先のアクセスポイントを切り替える際に通信が不安定になるのを防ぐことができるので、通信のリアルタイム性を安定に維持できる。
【００３８】
［第３の実施形態］
図８は、第３の実施形態における無線通信システムの概念図である。なお、図１と共通する部分には同一符号を付し、その詳しい説明は省略する。
【００３９】
図８に示すように、第３の実施形態の無線通信システムにおいては、第２の漏洩同軸ケーブル３の基端部が第１の漏洩同軸ケーブル１の終端部と重複するように、第２のアクセスポイント４を配置している。因みに、第１の漏洩同軸ケーブル１は、第１の実施形態と同様に、その終端から基端に向けて所定の長さ（区間Ｂ）にわたり、クライアント端末５が第１の漏洩同軸ケーブル１から受信する漏洩電波の受信レベルを、クライアント端末５がローミング処理を開始するレベルまで低下させるようにしている。
【００４０】
このように、第２の漏洩同軸ケーブル３の基端部を第１の漏洩同軸ケーブル１の終端部と重複させることによって、ローミングが実施された際に確実に第２のアクセスポイント４に切り替わるので、より一層安定したローミングを実施することができる。
【００４１】
なお、前記各実施形態では、２つのアクセスポイント２，４を配置してなる無線通信システムを例示したが、３つ以上のアクセスポイントを配置してなる無線通信ステムに対しても、各アクセスポイントに接続される漏洩同軸ケーブルの終端から基端に向けて所定の長さにわたり、移動局がその漏洩同軸ケーブルから受信する漏洩電波の受信レベルを、移動局がローミング処理を開始するレベルまで低下させることで、実施可能である。
【００４２】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００４３】
以下に、本実施形態で説明する他の発明について付記する。  
［付記１］
第１の漏洩同軸ケーブルを接続してアンテナとする第１のアクセスポイントと、前記第１の漏洩同軸ケーブルの終端部近傍に配置され、第２の漏洩同軸ケーブルを接続してアンテナとする第２のアクセスポイントとを備え、前記第１または第２の漏洩同軸ケーブルに沿って移動する移動局と前記第１または第２のアクセスポイントを介して無線通信を行う無線通信システムにおいて、前記第１の漏洩同軸ケーブルの終端から基端に向けて所定の長さにわたり、前記移動局が前記第１の漏洩同軸ケーブルから受信する漏洩電波の受信レベルを、前記移動局がローミング処理を開始するレベルまで低下させ、さらに前記第１の漏洩同軸ケーブルの終端から基端に向けて所定の長さにわたりケーブルの周囲を電波遮蔽物で覆う無線通信システム。
【００４４】
［付記２］
第１の漏洩同軸ケーブルを接続してアンテナとする第１のアクセスポイントと、前記第１の漏洩同軸ケーブルの終端部近傍に配置され、第２の漏洩同軸ケーブルを接続してアンテナとする第２のアクセスポイントとを備え、前記第１または第２の漏洩同軸ケーブルに沿って移動する移動局と前記第１または第２のアクセスポイントを介して無線通信を行う無線通信システムにおいて、前記第１の漏洩同軸ケーブルの終端から基端に向けて所定の長さにわたり、前記移動局が前記第１の漏洩同軸ケーブルから受信する漏洩電波の受信レベルを、前記移動局がローミング処理を開始するレベルまで低下させ、前記第１の漏洩同軸ケーブルは、終端から基端に向けて所定の長さにわたる部分を、漏洩同軸ケーブルとは別の低利得アンテナ用ケーブルとした無線通信システム。
【００４５】
［付記３］
第１の漏洩同軸ケーブルを接続してアンテナとする第１のアクセスポイントと、前記第１の漏洩同軸ケーブルの終端部近傍に配置され、第２の漏洩同軸ケーブルを接続してアンテナとする第２のアクセスポイントとを備え、前記第１または第２の漏洩同軸ケーブルに沿って移動する移動局と前記第１または第２のアクセスポイントを介して無線通信を行う無線通信システムにおいて、前記第１の漏洩同軸ケーブルの終端から基端に向けて所定の長さにわたり、前記移動局が前記第１の漏洩同軸ケーブルから受信する漏洩電波の受信レベルを、前記移動局がローミング処理を開始するレベルまで低下させ、前記第１の漏洩同軸ケーブルは、終端から基端に向けて所定の長さにわたる部分を、漏洩同軸ケーブルとは別の同軸ケーブルとした無線通信システム。
【００４６】
［付記４］
第１の漏洩同軸ケーブルを接続してアンテナとする第１のアクセスポイントと、前記第１の漏洩同軸ケーブルの終端部近傍に配置され、第２の漏洩同軸ケーブルを接続してアンテナとする第２のアクセスポイントとを備え、前記第１または第２の漏洩同軸ケーブルに沿って移動する移動局と前記第１または第２のアクセスポイントを介して無線通信を行う無線通信システムにおいて、前記第１の漏洩同軸ケーブルの終端から基端に向けて所定の長さにわたり、前記移動局が前記第１の漏洩同軸ケーブルから受信する漏洩電波の受信レベルを、前記移動局がローミング処理を開始するレベルまで低下させ、前記第１の漏洩同軸ケーブルは、終端から基端に向けて所定の長さにわたる部分が、当該第１の漏洩同軸ケーブルに沿って移動する前記移動局のアンテナとの距離が離反する方向に曲げられている無線通信システム。
【００４７】
［付記５］
第１の漏洩同軸ケーブルを接続してアンテナとする第１のアクセスポイントと、前記第１の漏洩同軸ケーブルの終端部近傍に配置され、第２の漏洩同軸ケーブルを接続してアンテナとする第２のアクセスポイントとを備え、前記第１または第２の漏洩同軸ケーブルに沿って移動する移動局と前記第１または第２のアクセスポイントを介して無線通信を行う無線通信システムにおいて、前記第１の漏洩同軸ケーブルの終端から基端に向けて所定の長さにわたり、前記移動局が前記第１の漏洩同軸ケーブルから受信する漏洩電波の受信レベルを、前記移動局がローミング処理を開始するレベルまで低下させ、前記第２の漏洩同軸ケーブルの基端部が前記第１の漏洩同軸ケーブルの終端部と重複するように、前記第２のアクセスポイントを配置した無線通信システム。
【００４８】
［付記６］
漏洩同軸ケーブルをそれぞれ接続してアンテナとする複数のアクセスポイントを備え、前記漏洩同軸ケーブルに沿って移動する移動局と前記各アクセスポイントを介して無線通信を行う無線通信システムの前記漏洩同軸ケーブルであって、終端から基端に向けて所定の長さにわたる部分を、漏洩同軸ケーブルとは別の低利得アンテナ用ケーブルとして、前記所定の長さにわたり、前記移動局が前記漏洩同軸ケーブルから受信する漏洩電波の受信レベルを、前記移動局がローミング処理を開始するレベルまで低下させる漏洩同軸ケーブル。
【００４９】
［付記７］
漏洩同軸ケーブルをそれぞれ接続してアンテナとする複数のアクセスポイントを備え、前記漏洩同軸ケーブルに沿って移動する移動局と前記各アクセスポイントを介して無線通信を行う無線通信システムの前記漏洩同軸ケーブルであって、終端から基端に向けて所定の長さにわたる部分を、漏洩同軸ケーブルとは別の同軸ケーブルとして、前記所定の長さにわたり、前記移動局が前記漏洩同軸ケーブルから受信する漏洩電波の受信レベルを、前記移動局がローミング処理を開始するレベルまで低下させる漏洩同軸ケーブル。
【００５０】
［付記８］
漏洩同軸ケーブルをそれぞれ接続してアンテナとする複数のアクセスポイントを備え、前記漏洩同軸ケーブルに沿って移動する移動局と前記各アクセスポイントを介して無線通信を行う無線通信システムの前記漏洩同軸ケーブルであって、終端から基端に向けて所定の長さにわたる部分が、当該漏洩同軸ケーブルに沿って移動する前記移動局のアンテナとの距離が離反する方向に曲げられて、前記所定の長さにわたり、前記移動局が前記漏洩同軸ケーブルから受信する漏洩電波の受信レベルを、前記移動局がローミング処理を開始するレベルまで低下させる漏洩同軸ケーブル。
【符号の説明】
【００５１】
１…第１の漏洩同軸ケーブル、２…第１のアクセスポイント、３…第２の漏洩同軸ケーブル、４…第２のアクセスポイント、５…クライアント端末。
【図１】
0005352631.tif 000002
【図２】
0005352631.tif 000003
【図３】
0005352631.tif 000004
【図４】
0005352631.tif 000005
【図５】
0005352631.tif 000006
【図６】
0005352631.tif 000007
【図７】
0005352631.tif 000008
【図８】
0005352631.tif 000009